(57)【特許請求の範囲】
【請求項１】
複数の表示パネルを備える表示装置において、
前記複数の表示パネルの駆動を制御する単一の制御部と、
該制御部からの出力信号を伝達する配線が形成されており、一方向に沿って延びたリジッド基板と
を備え、
前記リジッド基板及び複数の表示パネルは、前記リジッド基板の長手方向に垂直な方向に沿って、フレキシブル基板を介して直列に接続されたパネル群を構成し、
前記リジッド基板と該リジッド基板の隣に配置された前記表示パネルとを接続する前記フレキシブル基板にソースドライバが設けられていること
を特徴とする表示装置。
【請求項２】
前記リジッド基板は二つの前記表示パネルの間に配置されていること
を特徴とする請求項１に記載の表示装置。
【請求項３】
前記複数の表示パネル及び前記リジッド基板は、前記リジッド基板の厚さ方向に沿って、前記フレキシブル基板を介して直列に接続されていること
を特徴とする請求項１又は２に記載の表示装置。
【請求項４】
前記制御部は、前記パネル群に含まれる複数の表示パネル全体によって単一の画像を表示する信号を生成すること
を特徴とする請求項１から３のいずれか一つに記載の表示装置。
【請求項５】
前記パネル群の接続方向における両端を接続する接続部を備えること
を特徴とする請求項１から４のいずれか一つに記載の表示装置。
【発明の詳細な説明】
【技術分野】
【０００１】
本技術は、映像を表示する表示装置に関する。
【背景技術】
【０００２】
屋外、店頭又は交通機関等の公共の空間において、情報を発信するためのマルチディスプレイ装置が、以前より提案されている（例えば特許文献１参照）。【０００３】
マルチディスプレイ装置は、例えば、複数の表示パネルと、該複数の表示パネルにそれぞれ対応する複数の制御部とを備える。各制御部は各表示パネルを駆動する。
【先行技術文献】
【特許文献】
【０００４】
【特許文献１】特開２００９−１６２９９９号公報
【発明の概要】
【発明が解決しようとする課題】
【０００５】
しかし、仕様によっては、マルチディスプレイ装置には多数の表示パネルが使用され、表示パネルの増加に従って、制御部の数も増加するという問題があった。【０００６】
本発明は斯かる事情に鑑みてなされたものであり、制御部の数の増加を抑制して、複数の表示パネルを駆動させることができる表示装置を提供することを目的とする。
【課題を解決するための手段】
【０００７】
本発明の一実施形態に係る表示装置は、複数の表示パネルを備える表示装置において、前記複数の表示パネルの駆動を制御する単一の制御部と、該制御部からの出力信号を伝達する配線が形成されており、一方向に沿って延びたリジッド基板とを備え、前記リジッド基板及び複数の表示パネルは、前記リジッド基板の長手方向に垂直な方向に沿って、フレキシブル基板を介して直列に接続されたパネル群を構成し、前記リジッド基板と該リジッド基板の隣に配置された前記表示パネルとを接続する前記フレキシブル基板にソースドライバが設けられていることを特徴とする。
【発明の効果】
【０００８】
本発明の上記実施形態においては、複数の表示パネルへ向けて出力される制御信号及び駆動信号を単一の制御部が生成するので、制御部の数を減らすことができる。
【図面の簡単な説明】
【０００９】
【図１】実施の形態１に係る表示装置を示す概略図である。
【図２】表示装置の配線の配置を示す配線図である。
【図３】表示パネルの短辺側から視認した表示装置を略示する側面図である。
【図４】表示装置を角柱に取り付けた状態を略示する斜視図である。
【図５】実施の形態２に係る円柱に取り付けた表示装置を略示する平面断面図である。
【図６】実施の形態３に係る表示パネルの短辺側から視認した表示装置を略示する側面図である。
【図７】表示パネルを湾曲した基板によって構成した場合における円柱に取り付けた表示装置を略示する平面断面図である。
【図８】実施の形態４に係る表示パネルの短辺側から視認したパネル群の一端及び他端を略示する側面図である。
【図９】実施の形態５に係る表示パネルの短辺側から視認したパネル群の一端及び他端を略示する側面図である。
【図１０】実施の形態６に係る表示パネルの短辺側から視認したパネル群の一端及び他端を略示する側面図である。
【発明を実施するための形態】
【００１０】
（実施の形態１）
以下、実施の形態１に係る表示装置１００を図面に基づいて説明する。図１は、表示装置１００を示す概略図である。表示装置１００は、液晶を有する複数（本実施形態においては四つ）の表示パネル１と、リジッド基板２と、複数の表示パネル１の駆動を制御する単一の制御基板４（制御部）とを備える。リジッド基板２は、例えば、ガラスエポキシ基板、ガラスコンポジット基板、紙フェノール基板、紙エポキシ基板又はコンポジット基板等によって構成されている。
【００１１】
リジッド基板２は、一方向に延びた細長い矩形状をなす。表示パネル１は一方向に延びた矩形状をなす。リジッド基板２の長手方向（一方向）に垂直な方向（以下、他方向とも称する。）におけるリジッド基板２の両側に、複数の表示パネル１が他方向に沿って並んでいる。
【００１２】
なお図１には、単数のリジッド基板２が記載されているが、複数のリジッド基板２を使用してもよい。この場合、複数のリジッド基板２は、フレキシブル基板３などを介して、一方向に沿って直列に接続される。
【００１３】
隣り合う二つの表示パネル１、１それぞれの長辺と、隣り合うリジッド基板２の一方の長辺及び表示パネル１の長辺と、隣り合うリジッド基板２の他方の長辺及び表示パネル１の長辺とは、一又は複数のフレキシブル基板３によって接続されている。フレキシブル基板３は、薄いポリイミドやＰＥＴ（ポリエステル）等のフィルムで構成された基材の上に薄い銅箔等の配線パターンを持ち、表面を保護のための絶縁フィルムなどで被覆された配線基板であり、フレキシブル基板３上には配線パターンだけでなくソースドライバやゲートドライバなどのＩＣ(Integrated Circuit)部品を搭載することができる。フレキシブル基板３上にＩＣ(Integrated Circuit)部品を搭載したフレキシブル基板３は、特にＣＯＦ(Chip On Film)と呼ばれる。
【００１４】
すなわち、複数の表示パネル１及びリジッド基板２は、他方向に沿って、フレキシブル基板３を介して直列に接続されており、複数の表示パネル１、リジッド基板２及びフレキシブル基板３によってパネル群１０が構成されている。なお複数の表示パネル１及びリジッド基板２の接続方向は他方向に相当する。
【００１５】
制御基板４はフレキシブル基板３を介してリジッド基板２に接続されている。表示パネル１には、一方向に沿って延びており、他方向に沿って並んだ複数のゲート信号線８と、他方向に沿って延びており、一方向に沿って並んだ複数のソース信号線６（図２参照）とが形成されている。
【００１６】
図２は、表示装置１００の配線の配置を示す配線図である。リジッド基板２と表示パネル１とを連結するフレキシブル基板３には、ソースドライバ５が実装されている。ソースドライバ５からは、ソース信号を伝達するソース信号線６が他方向に沿って延出している。ソース信号線６は、各表示パネル１と、表示パネル１同士を接続するフレキシブル基板３まで延在して形成されている。
【００１７】
表示パネル１の短辺（他方向に沿った辺）には、フレキシブル基板３が取り付けられている。該フレキシブル基板３には、ゲートドライバ７が実装されている。つまり、ゲートドライバ７はCOFの形態でパネルに直接実装されており、短辺側にはリジッドな基板は存在していない。ゲートドライバ７からは、ゲート信号を伝達するゲート信号線８が一方向に沿って延出している。ゲート信号線８及びソース信号線６は、表示パネル１において、略直交する。なお、シフトレジスタとシフトレジスタに制御信号を入力するゲート配線群とをパネルと一体的（モノリシック）に形成したGOA(Gate On Array)などの形態をとることができる。この場合、表示パネル１の短辺側にはフレキシブル基板３は不要となる。
【００１８】
制御基板４には、画像を表す画像データを含む画像信号を受け付ける入力回路４ｃと、該入力回路４ｃによって分離されたクロック信号及び同期信号に基づいて、ソースドライバ５及びゲートドライバ７をそれぞれ制御する第１制御回路４ａ及び第２制御回路４ｂとが実装されている。
【００１９】
第１制御回路４ａは、第１配線４１を介して各ソースドライバ５に接続されている。第２制御回路４ｂは、第２配線４２を介して各ゲートドライバ７に接続されている。第１配線４１は、制御基板４と、制御基板４及びリジッド基板２を接続するフレキシブル基板３と、リジッド基板２と、リジッド基板２及び表示パネル１を接続するフレキシブル基板３とに形成され互いに接続されている。
【００２０】
第２配線４２は、制御基板４と、制御基板４及びリジッド基板２を接続するフレキシブル基板３と、リジッド基板２と、リジッド基板２及び表示パネル１を接続するフレキシブル基板３と、表示パネル１における非表示領域と、ゲートドライバ７が実装されたフレキシブル基板３と、表示パネル１同士を接続するフレキシブル基板３とに形成され互いに接続されている。
【００２１】
例えば、図２に示すように、第２制御回路４ｂと、リジッド基板２の隣に位置する表示パネル１のゲートドライバ７（以下第１ゲートドライバ７ａとも称する）とを接続する第２配線４２は、制御基板４と、制御基板４及びリジッド基板２を接続するフレキシブル基板３と、リジッド基板２と、リジッド基板２及び表示パネル１を接続するフレキシブル基板３と、表示パネル１における非表示領域と、第１ゲートドライバ７ａが実装されたフレキシブル基板３とに形成され互いに接続されている。
【００２２】
また、リジッド基板２の二つ隣に位置する表示パネル１のゲートドライバ７（以下第２ゲートドライバ７ｂとも称する）へは、リジッド基板２の隣に位置する表示パネル１のゲートドライバ７（第１ゲートドライバ７ａ）から必要な信号がカスケード出力され、各表示パネル１の非表示領域と、第１及び第２ゲートドライバ７ａ、７ｂが実装された各フレキシブル基板３を介して、第１及び第２ゲートドライバ７ａ、７ｂは接続されている。
【００２３】
リジッド基板２の長手方向に垂直な向きに沿って、リジッド基板２から双方向へフレキシブル基板３を延出させて、リジッド基板２の左右に表示パネル１を配置させている。そのため、パネル群１０の一端／他端にリジッド基板２を配置した場合と比較して、リジッド基板２からパネル群１０の他端／一端までの間に配置する表示パネル１の数を減らすことができる。その結果、表示パネル１、１間を接続するフレキシブル基板３に形成する第１配線４１及び第２配線４２を簡略化することができ、リジッド基板２あるいはドライバ５から見たときの表示パネル１の負荷を軽減することができる。
【００２４】
第１制御回路４ａ及び第２制御回路４ｂは、パネル群１０に含まれる複数の表示パネル１全体で単一の画像を表示するのに必要な信号を生成する。詳細には、第１制御回路４ａ及び第２制御回路４ｂは、それぞれ、ソースドライバ５及びゲートドライバ７の周期的な動作に必要となるスタート信号、クロック信号、イネーブル信号等の制御信号を生成して出力する。第１制御回路４ａは、また、入力回路４ｃによって分離されたデジタルの画像データをソースドライバ５に出力する。
【００２５】
ゲートドライバ７は、画像データの１フレーム期間内に、各ゲート信号線８に対して、所定の時間差で順次走査信号を印加する。ソースドライバ５は、第１制御回路４ａから与えられた１水平走査期間のデジタルの画像データを受信して、１ライン分の画像を表すアナログのソース信号を生成し、生成したソース信号をソース信号線６に並列的に印加する。ここでの１ライン分のソース信号は、上記所定の時間毎に更新される。
【００２６】
ゲート信号線８の１つに印加された走査信号は、一方向に沿って配列された１ライン分の画素夫々に含まれるＴＦＴ（図示略）のゲート電極に印加される。ソース信号線６に印加されたソース信号は、一のゲート信号線８に走査信号が印加される１水平走査期間に、上記一のゲート信号線８にゲートが接続されたＴＦＴを介して画素電極（図示略）に印加される。画素電極は容量を備えており、該容量にソース信号が書き込まれる。画素に書き込まれたソース信号は１フレーム期間保持される。
【００２７】
ここで、単一の画像の表示に必要な信号の生成を単一の制御基板４が行うので、複数の制御基板４の同期、および該同期に必要な更なる制御基板が不要となる。
【００２８】
図３は、表示パネル１の短辺側から視認した表示装置１００を略示する側面図である。図３に示すように、リジッド基板２と、リジッド基板２の隣に位置する表示パネル１とはフレキシブル基板３によって接続されているので、リジッド基板２を表示パネル１の背面側に容易にオフセットさせて配置させることができる。そのため、リジッド基板２に隣接する二つの表示パネル１、１の間の空間を狭くして、表示パネル１、１間の間隔を短くして表示装置１００にシームレスな画像を表示させることができる。
【００２９】
図４は、表示装置１００を角柱２０に取り付けた状態を略示する斜視図である。図４に示すように、二つの表示パネル１、１の間と、リジッド基板２及び表示パネル１の間をフレキシブル基板３によって接続しているので、フレキシブル基板３は角柱２０の角に沿って曲がり、角柱２０の複数の面に複数の表示パネル１をそれぞれ取り付けることができる。
【００３０】
なお図４では四角柱の場合を示しているが、三角柱又は五角以上の角柱２０に、表示装置１００を取り付けてよい。この場合、角柱２０の面の数と同数以下の表示パネル１を表示装置１００は備える。角柱２０に取り付ける態様は使用態様の例示に過ぎず、表示装置１００を単純に大型スクリーンとして使用することも当然できる。
【００３１】
実施の形態１に係る表示装置１００にあっては、複数の表示パネル１へ向けて出力される信号を単一の制御基板４が生成するので、制御基板４の数を減らすことができる。複数の表示パネル１のそれぞれに対応して複数の制御基板４を持つ場合には、高速の画像データ信号を複数の制御基板４に対して分配して伝送供給する必要があるが、表示パネル１が例えば４０インチ以上の大画面パネルになった場合、分配配線のためのＦＦＣ（Flexible Flat Cable）が非常に長くなるため、伝送信号が外乱の影響を受けやすくなり伝送品質を確保するのが困難となる。本実施の形態においては、単一の制御基板４とすることによって、制御基板４への高速の画像データ信号伝送を高品質かつ安定に行うことができる。また、ソース基板としてリジッド基板２を用いることによって、表示パネルの膨張係数とソース基板の膨張係数との差異を小さくすることができるので、大型の表示パネルにおける部材の伸縮を引き起こす発熱の影響が小さくなる。
【００３２】
またリジッド基板２の長手方向に垂直な向きに沿って、リジッド基板２から双方向へフレキシブル基板３を延出させて、リジッド基板２の左右に表示パネル１を配置させることができる。これにより、パネル群１０の一端／他端にリジッド基板２を配置した場合と比較して、リジッド基板２からパネル群１０の他端／一端までの間に配置する表示パネル１の数を減らすことができる。その結果、表示パネル１間を接続するフレキシブル基板３に形成する第１配線４１及び第２配線４２を簡略化することができ、リジッド基板２あるいはドライバ５から見たときの表示パネル１の負荷を軽減することができる。また、フレキシブル基板３の柔軟性を利用すれば、表示パネル１や光源の背面側にリジッド基板２を配置することが容易になり、リジッド基板２の両側に配置された表示パネル１の間の距離を短くすることができる。
【００３３】
また単一の画像の表示に必要な信号の生成を単一の制御基板４が行うので、複数の制御基板４の同期、および該同期に必要な更なる制御基板が不要である。よって、複数の表示パネル１による単一の画像の表示を簡便に行うことができる。
【００３４】
（実施の形態２）
以下実施の形態２に係る表示装置１００を図面に基づいて説明する。実施の形態２に係る表示装置１００の構成の内、実施の形態１と同様な構成については同じ符号を付し、その詳細な説明を省略する。
【００３５】
図５は、円柱５０に取り付けた表示装置１００を略示する平面断面図である。実施の形態２に係る表示装置１００に含まれる各表示パネル１は、実施の形態１に係る表示装置１００とは異なり、湾曲している。そのため、図５に示すように、円柱５０の外周面に沿って湾曲した各表示パネル１を準備することによって、円柱５０の外周面に、周方向全体に亘って複数の表示パネル１を取り付けることができる。なおリジッド基板２は、表示パネル１の背面と円柱５０との間に配置することができる。
【００３６】
リジッド基板２を湾曲させて湾曲ディスプレイとする構成にした場合、基板に曲げの機械的ストレスが加わり、配線パターンの断線や、半田クラック発生による半田不良や、実装部品の破断いった不良発生原因になるため曲率に限界があるが、本発明の構成によれば、リジッド基板２を湾曲させる必要がなくリジッド基板２への機械的ストレスが殆どかからないため、上記のような不良が発生することはなく、かつリジッド基板２による曲率の制約がなくなるため、より曲率の小さい湾曲に対応することができる。
【００３７】
（実施の形態３）
以下実施の形態３に係る表示装置１００を図面に基づいて説明する。実施の形態１又は２に係る表示装置１００の構成の内、実施の形態１又は２と同様な構成については同じ符号を付し、その詳細な説明を省略する。
【００３８】
図６は、表示パネル１の短辺側から視認した表示装置１００を略示する側面図である。リジッド基板２の両面に前記第１配線４１及び第２配線４２が形成されている。そのため、リジッド基板２の両面における一方の長辺と、他方向においてリジッド基板２の両隣に位置する二つの表示パネル１、１とが、フレキシブル基板３を介して接続される。すなわち、複数の表示パネル１および前記リジッド基板２は、前記リジッド基板２の厚さ方向に沿って、前記フレキシブル基板３を介して連結して接続される。
【００３９】
実施の形態３にあっては、リジッド基板２の両側に表示パネル１を配置する構成において、表示パネル１と接続したフレキシブル基板３を、リジッド基板２の一方の長辺に接続することによって、前記フレキシブル基板３をリジッド基板２の両方の長辺に接続する場合よりも、リジッド基板２の両側に配置された表示パネル１の間の距離を短くすることができる。また、表示パネル１の裏面にバックライト（図示せず）を配置させた場合、リジッド基板２がバックライト光を遮ることがないという利点がある。
【００４０】
図７は、表示パネル１を湾曲した基板によって構成した場合における円柱５０に取り付けた表示装置１００を略示する平面断面図である。なお円柱５０には、円柱５０の軸方向に沿って延びており、リジッド基板２を挿入するためのスリット５１が形成されている。
【００４１】
表示パネル１を湾曲した基板によって構成し、円柱５０の外周面に取り付けた場合、リジッド基板２はスリット５１に挿入される。そのため、フレキシブル基板３をリジッド基板２の両方の長辺に接続する場合に比べて、リジッド基板２の両側に配置された表示パネル１の間の距離をより一層短くし、表示装置１００は、表示パネル１、１の間隔を短くして、よりシームレスな画像を円柱５０等の湾曲した対象物の表面に表示することができる。
【００４２】
（実施の形態４）
以下実施の形態４に係る表示装置１００を図面に基づいて説明する。実施の形態１〜３に係る表示装置１００の構成の内、実施の形態１〜３と同様な構成については同じ符号を付し、その詳細な説明を省略する。
【００４３】
図８は、表示パネル１の短辺側から視認したパネル群１０の一端及び他端を略示する側面図である。パネル群１０の両端は接続部によって接続されるように構成されている。接続部は、例えば、第１フレキシブル基板３１、第２フレキシブル基板３２及びコネクタ３５を備える。
【００４４】
第１フレキシブル基板３１は、パネル群１０の一端に取り付けられている。すなわち、パネル群１０の一端に位置する表示パネル１において、隣接する他の表示パネル１の反対側の長辺に第１フレキシブル基板３１は取り付けられている。
【００４５】
第２フレキシブル基板３２は、パネル群１０の他端に取り付けられている。すなわち、パネル群１０の他端に位置する表示パネル１において、隣接する他の表示パネル１の反対側の長辺に第２フレキシブル基板３２は取り付けられている。
【００４６】
第１フレキシブル基板３１及び第２フレキシブル基板３２には、ソース信号線６に接続されており、ソースドライバ５によって生成されたソース信号が伝達される配線が形成されている。
【００４７】
第２フレキシブル基板３２の先端には、第１フレキシブル基板３１に接続されるコネクタ３５が設けられている。コネクタ３５は、例えば第１フレキシブル基板３１を挿入する溝３５ａを備える。ユーザは、第１フレキシブル基板３１を溝３５ａに挿入して、パネル群１０の両端を接続することができる。
【００４８】
コネクタ３５を介して、パネル群１０の両端が接続された場合、第１フレキシブル基板３１及び第２フレキシブル基板３２に形成された配線が接続され、ソース信号がパネル群１０の両端から入力される。
【００４９】
なお第１フレキシブル基板３１の先端に、第２フレキシブル基板３２に接続されるコネクタ３５を設け、該コネクタ３５と第２フレキシブル基板３２とを接続してもよい。
【００５０】
またリジッド基板２の片側にのみ、複数の表示パネル１を配置してパネル群１０を構成し、パネル群１０の一端又は他端の一方にリジッド基板２を位置させ、パネル群１０の一端又は他端の他方に表示パネル１を位置させて、リジッド基板２と表示パネル１とを接続部を介して接続してもよい。
【００５１】
実施の形態４においては、接続部を介してパネル群１０の両端を接続し、同種の駆動ソース信号を、表示パネル１の配線の両側に入力する。ソース信号が両側から入力されることにより、ソース信号線６に断線が生じても、断線箇所までは電圧が供給されるので、ライン不良になることがなく、その結果、耐故障性が向上する。
【００５２】
またパネル群１０の一端に第１フレキシブル基板３１を、他端に第２フレキシブル基板３２を取り付け、更に第１又は第２フレキシブル基板３２の一方にコネクタ３５を設ける。コネクタ３５と第１又は第２フレキシブル基板３１、３２の他方とを接続させることによって、パネル群１０の両端の接続を実現することができる。またコネクタ３５を使用することによって、設置現場において、パネル群１０の両端の接続を容易に行うことができる。
【００５３】
（実施の形態５）
以下実施の形態５に係る表示装置１００を図面に基づいて説明する。実施の形態１〜４に係る表示装置１００の構成の内、実施の形態１〜４と同様な構成については同じ符号を付し、その詳細な説明を省略する。
【００５４】
図９は、表示パネル１の短辺側から視認したパネル群１０の一端及び他端を略示する側面図である。パネル群１０の両端は接続部によって接続されるように構成されている。接続部は、例えば、第１フレキシブル基板３１、第２フレキシブル基板３２、雄型コネクタ３６及び雌型コネクタ３７を備える。
【００５５】
第１フレキシブル基板３１の先端には、雄型コネクタ３６が設けられている。一方、第２フレキシブル基板３２の先端には、雌型コネクタ３７が設けられている。なお雄型コネクタ３６及び雌型コネクタ３７を逆に配置してもよい。ユーザは、雄型コネクタ３６及び雌型コネクタ３７を接続することによって、パネル群１０の両端を接続することができる。雄型コネクタ３６及び雌型コネクタ３７は、コネクタの一例に過ぎず、カプラ型等他の形式のコネクタを使用してもよい。
【００５６】
雄型コネクタ３６及び雌型コネクタ３７を介して、パネル群１０の両端が接続された場合、第１フレキシブル基板３１及び第２フレキシブル基板３２に形成された配線が接続され、ソース信号がパネル群１０の両端から入力される。
【００５７】
実施の形態５においては、パネル群１０の一端に第１フレキシブル基板３１を、他端に第２フレキシブル基板３２を取り付け、更に第１及び第２フレキシブル基板３１、３２に雄型コネクタ３６及び雌型コネクタ３７をそれぞれ設ける。二つのコネクタ３６、３７を接続させることによって、パネル群１０の両端の接続を実現することができる。また二つのコネクタ３６、３７を使用することによって、設置現場において、パネル群１０の両端の接続を容易に行うことができる。
【００５８】
なおリジッド基板２の片側にのみ、表示パネル１を配置してパネル群１０を構成し、パネル群１０の一端又は他端の一方にリジッド基板２を位置させ、パネル群１０の一端又は他端の他方に表示パネル１を位置させてもよい。この場合、リジッド基板２に第１フレキシブル基板３１又は第２フレキシブル基板３２が取り付けられる。
【００５９】
（実施の形態６）
以下実施の形態６に係る表示装置１００を図面に基づいて説明する。実施の形態１〜５に係る表示装置１００の構成の内、実施の形態１〜５と同様な構成については同じ符号を付し、その詳細な説明を省略する。
【００６０】
図１０は、表示パネル１の短辺側から視認したパネル群１０の一端及び他端を略示する側面図である。パネル群１０の一端にはリジッド基板２が配置されており、パネル群１０の他端には表示パネル１が配置されている。パネル群１０の両端は接続部によって接続されるように構成されている。またリジッド基板２には、ソースドライバ５に接続したソース信号線６が形成されている。
【００６１】
接続部は、例えば、コネクタ３８ａ、３８ｂ及び第３フレキシブル基板３３（更なるフレキシブル基板）を備える。第３フレキシブル基板３３には、コネクタ３８ａが実装され、表示パネル１のソース信号線６に接続されており、ソースドライバ５によって生成されたソース信号が伝達される配線が形成されている。また、リジッド基板２には、コネクタ３８ｂが実装されている。
【００６２】
コネクタ３８を介して、パネル群１０の両端が接続された場合、第３フレキシブル基板３３に形成された配線と、リジッド基板２に形成されたソース信号線６が接続され、ソース信号がパネル群１０の両端から入力される。
【００６３】
第３フレキシブル基板３３は、パネル群１０の他端に取り付けられている。すなわち、パネル群１０の他端に位置する表示パネル１において、隣接する他の表示パネル１の反対側の長辺に第３フレキシブル基板３３は取り付けられている。第３フレキシブル基板３３にはコネクタ３８ａが実装されている。リジッド基板２には、コネクタ３８ｂが実装されており、ユーザは、コネクタ３８ａをリジッド基板２上に実装されたコネクタ３８ｂと接続して、パネル群１０の両端を接続することができる。なお、コネクタ３８ａは第３フレキシブル基板３３に直接実装するのではなく、例えば、第３フレキシブル基板３３をコネクタ３８ａが実装された中継リジッド基板に接続して、中継リジッド基板上のコネクタ３８ａとリジッド基板２上のコネクタ３８ｂとを接続する形態であっても構わない。いったん中継リジッド基板を介することで接続部の強度を増すことができる。
【００６４】
実施の形態６においては、パネル群１０の一端にリジッド基板２を配置し、またパネル群１０の他端に第３フレキシブル基板３３を取り付け、該第３フレキシブル基板３３にコネクタ３８ａを取り付ける。コネクタ３８ａをリジッド基板２上のコネクタ３８ｂに接続させることによって、パネル群１０の両端の接続を実現することができる。またコネクタ３８を使用することによって、設置現場において、パネル群１０の両端の接続を容易に行うことができる。
【００６５】
なお、コネクタ３８ａ及びコネクタ３８ｂによる接続方法は接続部の一例であって、他の形式の接続部を使用してもよい。また実施の形態４〜６における接続部はコネクタ３５〜３８を備えているが、コネクタ３５〜３８に変えて、加熱圧着等の他の接続方法によって接続される接続部を使用してもよい。
【００６６】
実施の形態５、６においても、実施の形態４と同様に、接続部を介してパネル群１０の両端を接続し、制御部から出力された同種のデジタル信号を、表示パネル１の配線の両側に入力する。またソース信号が両側から入力されることにより、ソース信号線６に断線が生じても、断線箇所までは電圧が供給されるので、耐故障性が向上する。
【００６７】
なお上述した各実施の形態においては、他方向におけるリジッド基板２の片側又は両側に、複数の表示パネル１が配置されているが、リジッド基板２の両側にそれぞれ一つずつ表示パネル１を配置してもよい。また表示装置１００は、複数のパネル群１０と、各パネル群１０を制御する各制御基板４を制御するメイン制御基板とを備えてもよく、この場合、メイン制御基板によって、各パネル群１０が同期制御される。
【００６８】
本発明の一実施形態の好ましい例を以下に示す。
本実施形態に係る表示装置は、前記リジッド基板は二つの前記表示パネルの間に配置されていることが好ましい。
【００６９】
このような構成を有することによって、本実施形態は、リジッド基板（ソース基板）の長手方向（延びている一方向）に垂直な向きに沿って、ソース基板から双方向へフレキシブル基板を延出させて、縦長に配置したソース基板の左右に表示パネルを配置させることができる。これにより、パネル群の一端にソース基板を配置した場合と比較して、ソース基板からパネル群の一端までの間に配置するパネルの数を減らすことができる。その結果、パネル間を接続するフレキシブル基板に形成する配線を簡略化することができる。また、ソース基板からパネル群の一端までの距離が短くなることにより、ドライバに対する電気的負荷が軽減され、画像表示品質を向上することができる。また、フレキシブル基板の柔軟性（可撓性）を利用すれば、表示パネルや光源の背面側にソース基板を配置することが容易になり、ソース基板の左右に配置された表示パネルの間の距離を短くすることができる。
【００７０】
本実施形態に係る表示装置は、前記複数の表示パネル及び前記リジッド基板は、前記リジッド基板の厚さ方向に沿って、前記フレキシブル基板を介して連結して接続されていることが好ましい。
【００７１】
より詳細には、本実施形態においては、ソース基板の左右に表示パネルを配置する構成において、表示パネルと接続したフレキシブル基板を、ソース基板の一方の長辺の表面と裏面にそれぞれ接続する。このような構成を有することによって、前記フレキシブル基板をソース基板の対向する二つの長辺にそれぞれ接続する場合よりも、フレキシブル基板を短くすることができ、かつソース基板の左右に配置された表示パネルの間の距離を短くすることができる。
【００７２】
本実施形態に係る表示装置において、前記制御部は、前記パネル群に含まれる複数の表示パネル全体によって単一の画像を表示する信号を生成してもよい。
【００７３】
本実施形態は、単一の画像の表示に必要な信号の生成を単一の制御部が行うので、複数の制御部の同期、および該同期に必要な制御部が不要である。よって、複数の表示パネルによる単一の画像の表示を簡便に行うことができる。
【００７４】
本実施形態に係る表示装置は、前記パネル群の接続方向における両端を接続する接続部を備えていてもよい。
【００７５】
このような構成を有することによって、本実施例においては、ソース信号が両側から入力されるので、ソース信号線に断線が生じたとしても、断線箇所までは電圧が供給される。よって、ライン不良になることがなく、耐故障性が向上する。
【００７６】
本実施形態に係る表示装置において、前記接続部は、前記接続方向における前記パネル群の一端に取り付けられた第１フレキシブル基板と、前記接続方向における前記パネル群の他端に取り付けられた第２フレキシブル基板と、前記第１又は第２フレキシブル基板の一方に取り付けられており、前記第１又は第２フレキシブル基板の他方に接続するコネクタとを備えていてもよい。
【００７７】
より詳細には、本実施形態においては、パネル群の一端に第１フレキシブル基板を、他端に第２フレキシブル基板を取り付け、更に第１又は第２フレキシブル基板の一方にコネクタを設ける。コネクタと第１又は第２フレキシブル基板の他方とを接続させることによって、パネル群の両端の接続を実現することができる。またコネクタを使用することによって、設置現場において、パネル群の両端の接続を容易に行うことができる。
【００７８】
本実施形態に係る表示装置において、前記接続部は、前記接続方向における前記パネル群の一端に取り付けられた第１フレキシブル基板と、前記接続方向における前記パネル群の他端に取り付けられた第２フレキシブル基板と、前記第１及び第２フレキシブル基板にそれぞれ取り付けられたコネクタとを備えていてもよい。
【００７９】
より詳細には、本実施形態においては、パネル群の一端に第１フレキシブル基板を、他端に第２フレキシブル基板を取り付け、更に第１及び第２フレキシブル基板に二つのコネクタをそれぞれ設ける。二つのコネクタを接続させることによって、パネル群の両端の接続を実現することができる。また二つのコネクタを使用することによって、設置現場において、パネル群の両端の接続を容易に行うことができる。
【００８０】
本実施形態に係る表示装置において、前記接続方向における前記パネル群の一端に前記リジッド基板が配置されている場合、前記接続部は、前記接続方向における前記パネル群の他端に取り付けられた第３フレキシブル基板と、該第３フレキシブル基板に取り付けられており、前記リジッド基板に接続するコネクタとを備えていてもよい。
【００８１】
より詳細には、本実施形態においては、パネル群の一端にリジッド基板を配置し、またパネル群の他端に第３フレキシブル基板を取り付け、該第３フレキシブル基板にコネクタを取り付ける。コネクタをリジッド基板に接続させることによって、パネル群の両端の接続を実現することができる。またコネクタを使用することによって、設置現場において、パネル群の両端の接続を容易に行うことができる。
【００８２】
今回開示した実施の形態は、全ての点で例示であって、制限的なものではないと考えられるべきである。各実施例にて記載されている技術的特徴は互いに組み合わせることができ、本実施例の範囲は、請求の範囲内での全ての変更及び請求の範囲と均等の範囲が含まれることが意図される。
【符号の説明】
【００８３】
１  表示パネル
２  リジッド基板
３  フレキシブル基板
４  制御基板（制御部）
４１  第１配線（配線）
４２  第２配線（配線）
５  ソースドライバ
１０  パネル群
３１  第１フレキシブル基板
３２  第２フレキシブル基板
３３  第３フレキシブル基板
３５、３８  コネクタ
３６  雄型コネクタ（コネクタ）
３７  雌型コネクタ（コネクタ）
１００  表示装置
【図１】
0006483926.tif 000002
【図２】
0006483926.tif 000003
【図３】
0006483926.tif 000004
【図４】
0006483926.tif 000005
【図５】
0006483926.tif 000006
【図６】
0006483926.tif 000007
【図７】
0006483926.tif 000008
【図８】
0006483926.tif 000009
【図９】
0006483926.tif 000010
【図１０】
0006483926.tif 000011